(57)【要約】 【課題】足裏部から足甲部に巻き付けて使用する足健康装具において、足の健康、特に、開張足の予防又は治療に有効となり、且つ、足の蹴りだし力を高めて健康を増進させる【解決手段】足裏部から足甲部に巻き付けられる伸縮自在な帯状のベルト２と、足甲部においてベルトの少なくとも両端部を着脱自在且つ長手方向に伸縮若しくは長短調整自在に結合する面ファスナー３（３ａ，３ｂ）結合手段と、ベルト２の中間部分の少なくとも内側面に設けられるパッド部４と、を具備し、パッド部４は、肉厚のクッション体５と、クッション体５を覆いベルト２に固定する覆い布体６と、を有し、クッション体５は前縁側を足趾の基部に沿って横方向に連続させた肉厚のクッション材により形成し、覆い布体６は外周縁部が帯状ベルト２に縫着などにより固定されている【選択図】  図１
2019193899.tif 000002
【特許請求の範囲】
【請求項１】
足裏部から足甲部に巻き付けられる伸縮自在な帯状のベルトと、足甲部においてベルトの両端部を着脱自在且つ長手方向に伸縮若しくは長短調整自在に結合する面ファスナー結合手段と、ベルトの中間部分の少なくとも内側面に設けられるパッド部と、を具備し、
前記パッド部は、肉厚のクッション体と、クッション体を覆い、ベルトに固定する覆い布体と、を有し、クッション体は、前縁側が足趾の基部に沿って横方向に連続する肉厚のクッション材により形成され、覆い布体は外周縁部がベルトに固定されていることを特徴とする足健康装具。
【請求項２】
前記ベルトの前縁部と前記覆い布体の前縁部とは上下に重ねられており、互いに縫着により固定されている請求項１に記載の足健康装具。
【請求項３】
足裏部から足甲部に巻き付けられる伸縮自在な帯状のベルトと、足甲部においてベルトの少なくとも両端部を着脱自在且つ長手方向に伸縮若しくは長短自在に結合する面ファスナー結合手段と、ベルトの中間部分の内側面に設けられるパッド部と、を具備し、
前記パッド部は、肉厚のクッション体と、クッション体を覆い、ベルトに固定する覆い布体と、を有し、前記ベルトの中間部分の外側面には、ベルトを挟んで、パッド部の覆い布体と対称位置に、覆い布体と同形状の固定布体を有し、覆い布体と固定布体とはベルトを挟んで固定され、覆い布体及び固定布体の少なくとも前縁部分は、帯状ベルトの前縁部よりも前方に突出する突出部とされていることを特徴とする足健康装具。
【請求項４】
前記覆い布体及び固定布体の前縁部分及び後縁部分は、帯状ベルトの前縁部及び後縁部分よりも前方及び後方に突出する前後突出部とされている請求項３に記載の足健康装具。
【請求項５】
前記固定布体と前記ベルトの間には下クッション体が設けられている請求項３または４に記載の足健康装具。
【請求項６】
前記覆い布体の少なくとも表面には、前記クッション体表面の凹凸面に沿った凸部が形成され、覆い布体の表面は摩擦抵抗の大きい滑り止め面とされている請求項１乃至５のいずれか１項に記載の足健康装具。
【請求項７】
前記クッション体は、肉厚のクッション材により形成され、足指の基部に沿って横方向に略湾曲状若しくは略直線状に連続する前縁部分を大径とした略二等辺三角形状、略ベース形状、略楕円形状若しくは略ハート形状とされている請求項１乃至６のいずれか１項に記載の足健康装具。
【請求項８】
前記クッション体の親指側の側部には、薄板状の突出板部が設けられている請求項１乃至６のいずれか１項に記載の足健康装具。
【請求項９】
前記ベルトの少なくとも一方の側部には、ベルトの幅方向の外周に沿って側部パッドが設けられている請求項１乃至８のいずれか１項に記載の足健康装具。
【発明の詳細な説明】
【技術分野】
【０００１】
本発明は、足甲部から足裏部に巻き付けて使用する足健康装具に関するものである。
【背景技術】
【０００２】
本出願人（発明者）は、足趾に外挿可能な伸縮リング状平ベルトの底部にクッション部を設けた足健康装具を発明した（特許文献１）。この特許文献１に係る足健康装具を足趾に装着させて使用することにより、歩行時における足の蹴りだし力が高められ、足や脚筋肉の劣化が防止される。また、これにより、足裏土踏まず部に形成される縦横アーチ（図１１参照）の劣化が防止され若しくはその形成が促進され、開張足や偏平足の改善に効果がある。
【０００３】
足甲部から足裏部に巻き付けて使用する足健康装具として、下記特許文献２又は３に記載の用具が提案されている。
特許文献２に記載の用具（パッドおよびサポーター）は、サポーターの足裏底部に上下方向に長い半球状若しくは三日月形状のパッドを設けた形状である。これにより、足裏土踏まず部の降下を防止する。
特許文献３に記載の健康用具は、ベルトの底部に半球形状に突出する半球体突起部を設けて、足裏土踏まず部に指圧効果を与える。
【０００４】
しかしながら、特許文献１乃至３の足健康装具は、開張足や偏平足を直接的に改善させるものではない。特許文献２又は３の足健康装具は、足裏土踏まず部に作用し、パッド又は突起部の足裏への接触は部分的であって滑りやすい。従って、特許文献２又は３の足健康装具では、サポーター又はベルトを強く締めても、装着状態において装具がずれやすいという課題があり、これにより足の蹴りだし力を高める機能はない。
【先行技術文献】
【特許文献】
【０００５】
【特許文献１】特許第５７８９７２６号公報
【特許文献２】特開２０１７−４６７４２号公報
【特許文献３】実用新案登録第３１０２１４５号公報
【発明の概要】
【発明が解決しようとする課題】
【０００６】
本発明は、以上の点に鑑み、足裏部から足甲部に巻き付けて使用する足健康装具において、足の健康、特に、開張足の予防又は治療に有効となる足健康装具を提供することを目的とする。
【０００７】
さらに、本発明は、開張足の予防又は治療に有効であるばかりでなく、足の蹴りだし力を高めて健康を増進させ、重度の外反母趾その他の足のトラブルにも有効な足健康装具を提供することを目的とする。
【０００８】
本発明は、足の健康保持及び治療に有効であり、装着状態においてズレの生じない足健康装具を提供することを目的とする。
【課題を解決するための手段】
【０００９】
次に、上記の課題を解決するための手段を、実施の形態に対応する図面を参照して説明する。
【００１０】
請求項１に係る本発明の足健康装具１は、足裏部から足甲部に巻き付けられる伸縮自在な帯状のベルト２と、足甲部においてベルトの少なくとも両端部を着脱自在且つ長手方向に伸縮若しくは長短調整自在に結合する面ファスナー３（３ａ，３ｂ）結合手段と、ベルト２の中間部分の少なくとも内側面に設けられるパッド部４と、を具備する。
パッド部４は、肉厚のクッション体５と、クッション体５を覆いベルト２に固定する覆い布体６と、を有し、クッション体５は前縁側を足趾の基部に沿って、略直線状又は略下向き湾曲状に横方向に連続させた肉厚のクッション材により形成し、覆い布体６は外周縁部が帯状ベルト２に縫着などにより固定されていることを特徴とする。
【００１１】
前記ベルト２の前縁部と前記覆い布体６の前縁部とは上下に重ねられており、互いに縫着（縫着線１１）により固定されている。
【００１２】
請求項３に係る本発明の足健康装具１０１は、足裏部から足甲部に巻き付けられる伸縮自在な帯状のベルト１０２と、足甲部においてベルト１０２の少なくとも両端部を着脱自在且つ長手方向に伸縮若しくは長短調整自在に結合する面ファスナー１０３（１０３ａ，１０３ｂ）結合手段と、ベルト１０２の中間部分の内側面に設けられるパッド部１０４と、を具備している。
パッド部１０４は、肉厚のクッション体１０５と、クッション体１０５を覆い、ベルト１０２に固定する覆い布体１０６と、を有し、ベルト１０２の中間部分の外側面には、ベルト１０２を挟んで、パッド部１０４の覆い布体１０６と対称位置に、覆い布体１０６と同形状の固定布体１０７を有する。覆い布体１０６と固定布体１０７とはベルト１０２を挟んで固定され、覆い布体１０６及びと固定布体１０７の前縁部分は、ベルト１０２の前縁部よりも前方に突出する突出部１０８とされていることを特徴とする。
【００１３】
前記覆い布体１０６及び前記固定布体１０７の前縁部分及び後縁部分は、帯状ベルトの前縁部及び後縁部分よりも前方及び後方に突出する前突出部１０８ａ及び後突出部１０８ｂとされていてもよい。
【００１４】
前記固定布体１０７と前記ベルト１０２の間には、クッション板材よりなる下クッション体１１２が設けられていてもよい。
【００１５】
前記覆い布体６（１０６）の表面には、クッション体５（１０５）の表面の凹凸面に沿った凸部５’（１０５’）が形成され、覆い布体６（１０６）は人工皮革などにより形成されて、その表面は摩擦力の大きい滑り止め面とされている。
【００１６】
前記クッション体５（１０５）は、肉厚のクッション材により形成され、足趾の基部に沿って横方向に連続する前縁部分を大径とし、後縁部分を小経とした略楕円形状若しくは略ハート形状とされている。
前記クッション体は、足指の基部に沿って横方向に略湾曲状若しくは略直線状に連続する前縁部分を大径とした略二等辺三角形状、略ベース形状、略楕円形状若しくは略ハート形状とされていてもよい。
【００１７】
前記クッション体５（１０５）の親趾側の側部には、薄板状の突出板部５ａが設けられていてもよい。
【００１８】
前記ベルト２（１０２）の少なくとも一方の側部には、ベルトの幅方向の外周に沿って、輪状に形成された側部パッド１１３が設けられていてもよい。
【００１９】
上記本発明に係る足健康装具１（１０１）の使用方法は、図７及び図８の使用状態を示す図に示されるように、ベルト２を足裏部から足甲部に巻き付け、足甲部においてベルト両端部を、面ファスナー３（３ａ，３ｂ）結合手段により環状に結合して使用する。
ベルト２（１０２）は、両端部が面ファスナー結合手段により結合されることから、使用者の足の大小に対応して密着状態で巻き付けられる。また、伸縮自在な帯状ベルトであるところから、巻き付け状態において、足に対して、必要な緊張力が与えられる。
これにより、本発明では、足の健康を維持又は改善し、特に、開張足の予防又は治療に有効である。
ここで、開張足とは、図１０（Ａ）に示すように、足の中足骨をつなぐじん帯がゆるみ、横アーチ（図１１参照）が崩れていわゆるべた足となる現象であって、歩行時における足裏のバネの力が弱まる。
本発明の足健康装具１（１０１）を使用することにより、図１０（Ｂ）に示すように、緩んだ横アーチをベルト２（１０２）によるテーピングの力で引き締めるとともに、足裏をパッド部４（１０４）で支え、これにより、足裏のバネ力が高められ、開張足が予防され又は改善される。
【００２０】
本発明では、クッション体５は前縁側を足趾の基部に沿って横方向に連続させた肉厚のクッション材により形成されているところから、歩行時、足裏の中足骨の裏側の肉厚部が、クッション体５の前縁側に沿って踏み込まれることとなり、足健康装具１（１０１）が使用中ズレるということがない。
【００２１】
歩行時の、いわゆる、すり足では、足趾先に体重のかかった蹴りだしがしっかりできないため、足の筋肉を弱らせ開張足が進行する。本発明では、歩行時、足裏の中足骨の裏側が、パッド部４（１０４）の前縁を踏み込み、足趾先の折り曲げ蹴り出し力を増幅させる。これにより、ふくらはぎの収縮が活発となり、血液循環が促進される。また、足首を中心とした足の筋肉が鍛えられ、筋肉の劣化が防止される。
【００２２】
本発明の足健康装具は、高齢者のみならず子供にも効果がある。また、靴を履く屋外のみならず、スリッパ歩行となる屋内でも効果があり、足に直接装着しても、靴下の上から装着してもよい。
また、本発明の足健康装具と前記本発明者による特許文献１（特許第５７８９７２６号公報）に記載の足健康装具とを併用してもよい。
【発明の効果】
【００２３】
本発明の足健康装具は、これを使用することにより、緩んだ横アーチをベルトによるテーピングの力で引き締めるとともに、足裏をパッド部で支え、これにより、足裏のバネ力が高められ、足の健康、特に、開張足の予防又は治療に有効である。
【００２４】
本発明では、歩行時、足裏の中足骨の裏側が、パッド部の前縁を踏み込み、足趾先の折り曲げ蹴り出し力増幅させる。これにより、ふくらはぎの収縮が活発となり、血液循環が促進される。また、足首を中心とした足の筋肉が鍛えられ、筋肉の劣化が防止される。    
【００２５】
さらに、請求項１又は２に係る本発明では、ベルト２の前縁と、バッド部４を構成する覆い布体６の前縁が段差となり、歩行時、この段差を踏むことになるところから、装着状態において足健康装具の装着位置がズレるということがない。
【００２６】
さらに、請求項３又は４に係る本発明では、ベルト１０２の前縁から、バッド部１０４と連続する突出部１０８が突出し、歩行時、この突出部１０８を踏み込むことになるところから、装着状態において足健康装具の装着位置がズレるということがない。
【００２７】
また、この突出部の存在により、ベルトの幅を超えて、大きいサイズの足健康装具として提供することができる。
【００２８】
請求項５では、クッション体に重ねて下クッション体を上下二重に設けているところから、足健康装具によるクッション作用を一層高めることができる。
【００２９】
請求項９では、ベルトの側部に側部パッドを設けているところから、例えば、ゴム長靴など、足幅に沿って調整が困難な、大きい靴を履いて歩行などする時にも、足が靴内でぶれるということがなく、歩行及び作業が容易となる。
【図面の簡単な説明】
【００３０】
【図１】本発明の実施形態１に係る足健康装具の正面図である。
【図２】同背面図である。
【図３】同平面図である。
【図４】同左側面図である。
【図５】図１におけるＡ−Ａ線拡大断面図である。
【図６】同分解正面図である。
【図７】同使用状態を示す底面図である。
【図８】同使用状態を示す側面図である。
【図９】クッション体の正面図（Ａ），他の実施形態に係るクッション体の正面図（Ｂ），さらに他の実施形態に係るクッション体の正面図及び底面図（Ｃ）である。
【図１０】開張足の足骨を示す平面図（Ａ）と本発明を使用した状態を示す平面図（Ｂ）である。
【図１１】足裏に形成される縦横アーチを説明する図である。
【図１２】本発明の実施形態２に係る足健康装具の正面図である。
【図１３】同背面図である。
【図１４】同平面図である。
【図１５】同左側面図である。
【図１６】図１２におけるＢ−Ｂ拡大断面図である。
【図１７】同分解正面図である。
【図１８】同使用状態を示す底面図である。
【図１９】同使用状態を示す側面図である。
【図２０】本発明の実施形態３に係る足健康装具の拡大断面図である。
【図２１】同分解正面図である。
【図２２】本発明の実施形態４に係る足健康装具の正面図である。
【図２３】図２２のＣ−Ｃ線拡大断面図である。
【発明を実施するための形態】
【００３１】
（実施形態１）
図１〜図９は、実施形態１に係る足健康装具を示す。
以下、図１〜図９を参照して、本発明の実施形態１に係る足健康装具を説明する。
【００３２】
実施形態１に係る足健康装具１は、足裏部から足甲部に巻き付けられる伸縮自在な帯状のベルト２と、足甲部においてベルト２の両端部を着脱自在且つ長手方向に伸縮若しくは長短調整自在に結合する面ファスナー３（３ａ，３ｂ）結合手段と、ベルト２の中間部分の少なくとも内側面に設けられるパッド部４と、を有している。
ベルト２は、一端から他端にかけて同一幅の帯状であり、ベルト２の一面（裏面）は面ファスナー３の一方３ａとなって面方向に連続し、ベルト２の他面（表面）の端部には、面ファスナー３の他方３ｂとなって一方３ａと面結合される面ファスナー布片が設けられている。
【００３３】
上記パッド部４は、肉厚のクッション体５と、クッション体５を覆いベルト２に固定する覆い布体６と、を有している。クッション体５は前縁側を足趾の基部に沿って横方向に連続させた肉厚のクッション材により形成し、覆い布体６は外周縁部が帯状ベルト２に縫着（縫着線１１）などにより固定されている。パッド部４の前後幅はベルトの前後幅と同幅であり、覆い布体６の前後の縫着線１１，１１は、ベルト２の前後の縁部に沿って形成されている。覆い布体６は、人工皮革など、表面が摩擦抵抗の大きい材料により形成され、表面は滑り止め面とされている。
【００３４】
前記クッション体５は、肉厚のクッション材により形成され、足趾の基部に沿って横方向に連続する前縁部分を大径とし、後縁部分を小経とした略楕円形状（図９（Ａ））とされている。クッション体５は、前縁部を波形とした、略ハート形状（図９（Ｂ））とされていてもよい。クッション体５は、発泡ウレタン樹脂やゴム材などにより形成される。
【００３５】
前記クッション体５の親趾側の側部には、薄板状の突出板部５ａが設けられていてもよい（図９（Ｃ））。
使用状態において、突出板部５ａ上に、足裏土踏まず部の前部における、親趾側の基部の裏面が当接載置されることにより、親趾側が外股方向に上がり、靴内部における親趾側への圧迫が緩和される。これにより、外反母趾の防止及び矯正に有効となる。
【００３６】
覆い布体６の表面である、パッド部４の表面には、クッション体５表面の凹凸面に沿った凸部５’が形成されている。
【００３７】
上記足健康装具１の使用方法は、図７及び図８の使用状態を示す図に示されるように、ベルト２を足裏部から足甲部に巻き付け、足甲部においてベルト両端部を、面ファスナー３（３ａ，３ｂ）結合手段により環状に結合して使用する。
ベルト２は、帯状であって、両端部が面ファスナー３（３ａ，３ｂ）結合手段により結合されることから、使用者の足の大小に対応して、その直径が長短調整自在であり、適当な張力で密着状態で巻き付けられる。また、伸縮自在な帯状ベルトであるところから、巻き付け状態において、足に対して、必要な緊張力が与えられる。
【００３８】
（実施形態２）
図１２乃至図１９は、本発明の実施形態２に係る足健康装具を示す。
以下、図１２乃至図１９を参照して、本発明の実施形態２に係る足健康装具を説明する。
【００３９】
実施形態２の足健康装具１０１は、足裏部から足甲部に巻き付けられる伸縮自在な帯状のベルト１０２と、足甲部においてベルト１０２の少なくとも両端部を着脱自在且つ長手方向に伸縮若しくは長短調整自在に結合する面ファスナー１０３（１０３ａ，１０３ｂ）結合手段と、ベルト１０２の中間部分の内側面に設けられるパッド部１０４と、を具備している。
【００４０】
パッド部１０４は、肉厚のクッション体１０５と、クッション体１０５を覆い、ベルト１０２に固定する覆い布体１０６と、を有している。ベルト１０２の中間部分の外側面には、ベルト１０２を挟んで、パッド部１０４の覆い布体１０６と対称位置に、覆い布体１０６と同形状の固定布体１０７を有している。覆い布体１０６と固定布体１０７とはベルト１０２を挟んで、縫着（縫着線１１１）により固定されている。覆い布体１０６及び固定布体１０７の前縁部分及び後縁部分は、帯状ベルトの前縁部及び後縁部分よりも前方及び後方に突出する突出部１０８（前突出部１０８ａ，後突出部１０８ｂ）とされている。
【００４１】
覆い布体１０６の表面である、パッド部１０４の表面には、クッション体１０５表面の凹凸面に沿った凸部１０５’が形成されている。
【００４２】
足健康装具１０１の使用方法は、前記実施形態１に係る足健康装具１の使用方法と同様であって、図１８及び図１９の使用状態を示す図に示されるように、ベルト１０２を足裏部から足甲部に巻き付け、足甲部においてベルト両端部を、面ファスナー１０３（１０３ａ，１０３ｂ）結合手段により環状に結合して使用する。
【００４３】
上記実施形態２の足健康装具１０１では、ベルト１０２の前縁から、バッド部１０４と連続する突出部１０８（１０８ａ）が突出し、歩行時、この突出部１０８（１０８ａ）を踏み込むことになるところから、装着状態において足健康装具の装着位置がズレるということがない。
【００４４】
また、この突出部の存在により、ベルトの幅を超えて、大きいサイズの足健康装具として提供することができる。
【００４５】
（実施形態３）
図２０及び図２１は、本発明の実施形態３に係る足健康装具を示す。                  実施形態３に係る足健康装具１０１’は、上記実施形態２に係る足健康装具１０１において、ベルト１０２と固定布体１０７との間に、上記クッション体１０５と略同形同質の下クッション体１１２を設けている。
【００４６】
実施形態３に係る足健康装具１０１’では、実施形態１又は２に係る足健康装具によるクッション力よりも、クッション力が増幅される。
【００４７】
（実施形態４）
図２２及び図２３は、本発明の実施形態５に係る足健康装具を示す。                  実施形態５に係る足健康装具は、上記実施形態１又は実施形態２に係る足健康装具１（１０１）において、ベルト２の側部に、側部パッド１１３を設けている。
【００４８】
側部パッド１１３は、ベルト２の側部に輪状に形成されている。側部パッド１１３の内側（足側）には、側部クッション体１１４が設けられている。
【００４９】
実施形態４に係る足健康装具では、ベルトの側部に側部パッド１１３を設けているところから、例えば、ゴム長靴を履いて歩行などする時など、足幅に合わせた調整が困難な、大きな靴を履く時に、足が靴内でぶれるということがなく、歩行が安定する。これにより、作業中の事故が防止される。
【００５０】
実施形態２乃至４において、上記実施形態１乃至３に対応する構成部分には、共通の用語及び参照符号を付して、その詳細な説明は省略した。
【符号の説明】
【００５１】
１，１０１，１０１’    足健康装具
２，１０２    ベルト
３（３ａ，３ｂ），１０３（１０３ａ，１０３ｂ）  面ファスナー
４，１０４    パッド部
５，１０５    クッション体
５' ，１０５'   凸部
５ａ  突出板部
６，１０６    覆い布体
１１，１１１    縫着線
１０７  固定布体
１０８（１０８ａ，１０８ｂ）  突出部
１１２  下クッション体
１１３  側部パッド
１１４  側部クッション体
【図１】
2019193899.tif 000003
【図２】
2019193899.tif 000004
【図３】
2019193899.tif 000005
【図４】
2019193899.tif 000006
【図５】
2019193899.tif 000007
【図６】
2019193899.tif 000008
【図７】
2019193899.tif 000009
【図８】
2019193899.tif 000010
【図９】
2019193899.tif 000011
【図１０】
2019193899.tif 000012
【図１１】
2019193899.tif 000013
【図１２】
2019193899.tif 000014
【図１３】
2019193899.tif 000015
【図１４】
2019193899.tif 000016
【図１５】
2019193899.tif 000017
【図１６】
2019193899.tif 000018
【図１７】
2019193899.tif 000019
【図１８】
2019193899.tif 000020
【図１９】
2019193899.tif 000021
【図２０】
2019193899.tif 000022
【図２１】
2019193899.tif 000023
【図２２】
2019193899.tif 000024
【図２３】
2019193899.tif 000025
【手続補正書】
【提出日】令和1年8月21日(2019.8.21)
【手続補正１】
【補正対象書類名】明細書
【補正対象項目名】全文
【補正方法】変更
【補正の内容】
【発明の詳細な説明】
【技術分野】
【０００１】
本発明は、足甲部から足裏部に巻き付けて使用する足健康装具に関するものである。
【背景技術】
【０００２】
本出願人（発明者）は、足趾に外挿可能な伸縮リング状平ベルトの底部にクッション部を設けた足健康装具を発明した（特許文献１）。この特許文献１に係る足健康装具を足趾に装着させて使用することにより、歩行時における足の蹴りだし力が高められ、足や脚筋肉の劣化が防止される。また、これにより、足裏土踏まず部に形成される縦横アーチ（図１１参照）の劣化が防止され若しくはその形成が促進され、開張足や偏平足の改善に効果がある。
【０００３】
足甲部から足裏部に巻き付けて使用する足健康装具として、下記特許文献２又は３に記載の用具が提案されている。
特許文献２に記載の用具（パッドおよびサポーター）は、サポーターの足裏底部に上下方向に長い半球状若しくは三日月形状のパッドを設けた形状である。これにより、足裏土踏まず部の降下を防止する。
特許文献３に記載の健康用具は、ベルトの底部に半球形状に突出する半球体突起部を設けて、足裏土踏まず部に指圧効果を与える。
【０００４】
しかしながら、特許文献１乃至３の足健康装具は、開張足や偏平足を直接的に改善させるものではない。特許文献２又は３の足健康装具は、足裏土踏まず部に作用し、パッド又は突起部の足裏への接触は部分的であって滑りやすい。従って、特許文献２又は３の足健康装具では、サポーター又はベルトを強く締めても、装着状態において装具がずれやすいという課題があり、これにより足の蹴りだし力を高める機能はない。
【先行技術文献】
【特許文献】
【０００５】
【特許文献１】特許第５７８９７２６号公報
【特許文献２】特開２０１７−４６７４２号公報
【特許文献３】実用新案登録第３１０２１４５号公報
【発明の概要】
【発明が解決しようとする課題】
【０００６】
本発明は、以上の点に鑑み、足裏部から足甲部に巻き付けて使用する足健康装具において、足の健康、特に、開張足の予防又は治療に有効となる足健康装具を提供することを目的とする。
【０００７】
さらに、本発明は、開張足の予防又は治療に有効であるばかりでなく、足の蹴りだし力を高めて健康を増進させ、重度の外反母趾その他の足のトラブルにも有効な足健康装具を提供することを目的とする。
【０００８】
本発明は、足の健康保持及び治療に有効であり、装着状態においてズレの生じない足健康装具を提供することを目的とする。
【課題を解決するための手段】
【０００９】
次に、上記の課題を解決するための手段を、実施の形態に対応する図面を参照して説明する。
【００１０】
請求項１に係る本発明の足健康装具１は、足裏部から足甲部に巻き付けられる一端から他端にかけて同一幅の伸縮自在な帯状のベルト２と、足甲部においてベルトの少なくとも両端部を着脱自在且つ長手方向に伸縮若しくは長短調整自在に結合する面ファスナー３（３ａ，３ｂ）結合手段と、ベルト２の中間部分の少なくとも内側面に設けられるパッド部４と、を具備する。
パッド部４は、肉厚のクッション体５と、クッション体５の表面を覆い、クッション体５をベルト２に固定する覆い布体６と、を有し、クッション体５は前縁側を足趾の基部に沿って、略直線状又は略下向き湾曲状に横方向に連続させた肉厚のクッション材により形成し、覆い布体６は外周縁部が帯状ベルト２に縫着などにより固定されていることを特徴とする。
【００１１】
前記ベルト２の前縁部と前記覆い布体６の前縁部とは上下に重ねられており、互いに縫着（縫着線１１）により固定されている。
【００１２】
本発明の足健康装具１０１は、足裏部から足甲部に巻き付けられる伸縮自在な帯状のベルト１０２と、足甲部においてベルト１０２の少なくとも両端部を着脱自在且つ長手方向に伸縮若しくは長短調整自在に結合する面ファスナー１０３（１０３ａ，１０３ｂ）結合手段と、ベルト１０２の中間部分の内側面に設けられるパッド部１０４と、を具備している。
パッド部１０４は、肉厚のクッション体１０５と、クッション体１０５を覆い、ベルト１０２に固定する覆い布体１０６と、を有し、ベルト１０２の中間部分の外側面には、ベルト１０２を挟んで、パッド部１０４の覆い布体１０６と対称位置に、覆い布体１０６と同形状の固定布体１０７を有する。覆い布体１０６と固定布体１０７とはベルト１０２を挟んで固定され、覆い布体１０６及びと固定布体１０７の前縁部分は、ベルト１０２の前縁部よりも前方に突出する突出部１０８とされていることを特徴とする。
【００１３】
前記覆い布体１０６及び前記固定布体１０７の前縁部分及び後縁部分は、帯状ベルトの前縁部及び後縁部分よりも前方及び後方に突出する前突出部１０８ａ及び後突出部１０８ｂとされていてもよい。
【００１４】
前記固定布体１０７と前記ベルト１０２の間には、クッション板材よりなる下クッション体１１２が設けられていてもよい。
【００１５】
前記覆い布体６（１０６）の表面には、クッション体５（１０５）の表面の凹凸面に沿った凸部５’（１０５’）が形成され、覆い布体６（１０６）は人工皮革などにより形成されて、その表面は摩擦力の大きい滑り止め面とされている。
【００１６】
前記クッション体５（１０５）は、肉厚のクッション材により形成され、足趾の基部に沿って横方向に連続する前縁部分を大径とし、後縁部分を小経とした略楕円形状若しくは略ハート形状とされている。
前記クッション体は、足指の基部に沿って横方向に略湾曲状若しくは略直線状に連続する前縁部分を大径とした略二等辺三角形状、略ベース形状、略楕円形状若しくは略ハート形状とされていてもよい。
【００１７】
前記クッション体５（１０５）の親趾側の側部には、薄板状の突出板部５ａが設けられていてもよい。
【００１８】
前記ベルト２（１０２）の少なくとも一方の側部には、ベルトの幅方向の外周に沿って、輪状に形成された側部パッド１１３が設けられていてもよい。
【００１９】
上記本発明に係る足健康装具１（１０１）の使用方法は、図７及び図８の使用状態を示す図に示されるように、ベルト２を足裏部から足甲部に巻き付け、足甲部においてベルト両端部を、面ファスナー３（３ａ，３ｂ）結合手段により環状に結合して使用する。
ベルト２（１０２）は、両端部が面ファスナー結合手段により結合されることから、使用者の足の大小に対応して密着状態で巻き付けられる。また、伸縮自在な帯状ベルトであるところから、巻き付け状態において、足に対して、必要な緊張力が与えられる。
これにより、本発明では、足の健康を維持又は改善し、特に、開張足の予防又は治療に有効である。
ここで、開張足とは、図１０（Ａ）に示すように、足の中足骨をつなぐじん帯がゆるみ、横アーチ（図１１参照）が崩れていわゆるべた足となる現象であって、歩行時における足裏のバネの力が弱まる。
本発明の足健康装具１（１０１）を使用することにより、図１０（Ｂ）に示すように、緩んだ横アーチをベルト２（１０２）によるテーピングの力で引き締めるとともに、足裏をパッド部４（１０４）で支え、これにより、足裏のバネ力が高められ、開張足が予防され又は改善される。
【００２０】
本発明では、クッション体５は前縁側を足趾の基部に沿って横方向に連続させた肉厚のクッション材により形成されているところから、歩行時、足裏の中足骨の裏側の肉厚部が、クッション体５の前縁側に沿って踏み込まれることとなり、足健康装具１（１０１）が使用中ズレるということがない。
【００２１】
歩行時の、いわゆる、すり足では、足趾先に体重のかかった蹴りだしがしっかりできないため、足の筋肉を弱らせ開張足が進行する。本発明では、歩行時、足裏の中足骨の裏側が、パッド部４（１０４）の前縁を踏み込み、足趾先の折り曲げ蹴り出し力を増幅させる。これにより、ふくらはぎの収縮が活発となり、血液循環が促進される。また、足首を中心とした足の筋肉が鍛えられ、筋肉の劣化が防止される。
【００２２】
本発明の足健康装具は、高齢者のみならず子供にも効果がある。また、靴を履く屋外のみならず、スリッパ歩行となる屋内でも効果があり、足に直接装着しても、靴下の上から装着してもよい。
また、本発明の足健康装具と前記本発明者による特許文献１（特許第５７８９７２６号公報）に記載の足健康装具とを併用してもよい。
【発明の効果】
【００２３】
本発明の足健康装具は、これを使用することにより、緩んだ横アーチをベルトによるテーピングの力で引き締めるとともに、足裏をパッド部で支え、これにより、足裏のバネ力が高められ、足の健康、特に、開張足の予防又は治療に有効である。
【００２４】
本発明では、歩行時、足裏の中足骨の裏側が、パッド部の前縁を踏み込み、足趾先の折り曲げ蹴り出し力増幅させる。これにより、ふくらはぎの収縮が活発となり、血液循環が促進される。また、足首を中心とした足の筋肉が鍛えられ、筋肉の劣化が防止される。    
【００２５】
さらに、請求項１又は２に係る本発明では、ベルト２の前縁と、バッド部４を構成する覆い布体６の前縁が段差となり、歩行時、この段差を踏むことになるところから、装着状態において足健康装具の装着位置がズレるということがない。
【００２６】
さらに、本発明では、ベルト１０２の前縁から、バッド部１０４と連続する突出部１０８が突出し、歩行時、この突出部１０８を踏み込むことになるところから、装着状態において足健康装具の装着位置がズレるということがない。
【００２７】
また、この突出部の存在により、ベルトの幅を超えて、大きいサイズの足健康装具として提供することができる。
【００２８】
本発明では、クッション体に重ねて下クッション体を上下二重に設けているところから、足健康装具によるクッション作用を一層高めることができる。
【００２９】
本発明では、ベルトの側部に側部パッドを設けているところから、例えば、ゴム長靴など、足幅に沿って調整が困難な、大きい靴を履いて歩行などする時にも、足が靴内でぶれるということがなく、歩行及び作業が容易となる。
【図面の簡単な説明】
【００３０】
【図１】本発明の実施形態１に係る足健康装具の正面図である。
【図２】同背面図である。
【図３】同平面図である。
【図４】同左側面図である。
【図５】図１におけるＡ−Ａ線拡大断面図である。
【図６】同分解正面図である。
【図７】同使用状態を示す底面図である。
【図８】同使用状態を示す側面図である。
【図９】クッション体の正面図（Ａ），他の実施形態に係るクッション体の正面図（Ｂ），さらに他の実施形態に係るクッション体の正面図及び底面図（Ｃ）である。
【図１０】開張足の足骨を示す平面図（Ａ）と本発明を使用した状態を示す平面図（Ｂ）である。
【図１１】足裏に形成される縦横アーチを説明する図である。
【図１２】本発明の実施形態２に係る足健康装具の正面図である。
【図１３】同背面図である。
【図１４】同平面図である。
【図１５】同左側面図である。
【図１６】図１２におけるＢ−Ｂ拡大断面図である。
【図１７】同分解正面図である。
【図１８】同使用状態を示す底面図である。
【図１９】同使用状態を示す側面図である。
【図２０】本発明の実施形態３に係る足健康装具の拡大断面図である。
【図２１】同分解正面図である。
【図２２】本発明の実施形態４に係る足健康装具の正面図である。
【図２３】図２２のＣ−Ｃ線拡大断面図である。
【発明を実施するための形態】
【００３１】
（実施形態１）
図１〜図９は、実施形態１に係る足健康装具を示す。
以下、図１〜図９を参照して、本発明の実施形態１に係る足健康装具を説明する。
【００３２】
実施形態１に係る足健康装具１は、足裏部から足甲部に巻き付けられる伸縮自在な帯状のベルト２と、足甲部においてベルト２の両端部を着脱自在且つ長手方向に伸縮若しくは長短調整自在に結合する面ファスナー３（３ａ，３ｂ）結合手段と、ベルト２の中間部分の少なくとも内側面に設けられるパッド部４と、を有している。
ベルト２は、一端から他端にかけて同一幅の帯状であり、ベルト２の一面（裏面）は面ファスナー３の一方３ａとなって面方向に連続し、ベルト２の他面（表面）の端部には、面ファスナー３の他方３ｂとなって一方３ａと面結合される面ファスナー布片が設けられている。
【００３３】
上記パッド部４は、肉厚のクッション体５と、クッション体５を覆いベルト２に固定する覆い布体６と、を有している。クッション体５は前縁側を足趾の基部に沿って横方向に連続させた肉厚のクッション材により形成し、覆い布体６は外周縁部が帯状ベルト２に縫着（縫着線１１）などにより固定されている。パッド部４の前後幅はベルトの前後幅と同幅であり、覆い布体６の前後の縫着線１１，１１は、ベルト２の前後の縁部に沿って形成されている。覆い布体６は、人工皮革など、表面が摩擦抵抗の大きい材料により形成され、表面は滑り止め面とされている。
【００３４】
前記クッション体５は、肉厚のクッション材により形成され、足趾の基部に沿って横方向に連続する前縁部分を大径とし、後縁部分を小経とした略楕円形状（図９（Ａ））とされている。クッション体５は、前縁部を波形とした、略ハート形状（図９（Ｂ））とされていてもよい。クッション体５は、発泡ウレタン樹脂やゴム材などにより形成される。
【００３５】
前記クッション体５の親趾側の側部には、薄板状の突出板部５ａが設けられていてもよい（図９（Ｃ））。
使用状態において、突出板部５ａ上に、足裏土踏まず部の前部における、親趾側の基部の裏面が当接載置されることにより、親趾側が外股方向に上がり、靴内部における親趾側への圧迫が緩和される。これにより、外反母趾の防止及び矯正に有効となる。
【００３６】
覆い布体６の表面である、パッド部４の表面には、クッション体５表面の凹凸面に沿った凸部５’が形成されている。
【００３７】
上記足健康装具１の使用方法は、図７及び図８の使用状態を示す図に示されるように、ベルト２を足裏部から足甲部に巻き付け、足甲部においてベルト両端部を、面ファスナー３（３ａ，３ｂ）結合手段により環状に結合して使用する。
ベルト２は、帯状であって、両端部が面ファスナー３（３ａ，３ｂ）結合手段により結合されることから、使用者の足の大小に対応して、その直径が長短調整自在であり、適当な張力で密着状態で巻き付けられる。また、伸縮自在な帯状ベルトであるところから、巻き付け状態において、足に対して、必要な緊張力が与えられる。
【００３８】
（実施形態２）
図１２乃至図１９は、本発明の実施形態２に係る足健康装具を示す。
以下、図１２乃至図１９を参照して、本発明の実施形態２に係る足健康装具を説明する。
【００３９】
実施形態２の足健康装具１０１は、足裏部から足甲部に巻き付けられる伸縮自在な帯状のベルト１０２と、足甲部においてベルト１０２の少なくとも両端部を着脱自在且つ長手方向に伸縮若しくは長短調整自在に結合する面ファスナー１０３（１０３ａ，１０３ｂ）結合手段と、ベルト１０２の中間部分の内側面に設けられるパッド部１０４と、を具備している。
【００４０】
パッド部１０４は、肉厚のクッション体１０５と、クッション体１０５を覆い、ベルト１０２に固定する覆い布体１０６と、を有している。ベルト１０２の中間部分の外側面には、ベルト１０２を挟んで、パッド部１０４の覆い布体１０６と対称位置に、覆い布体１０６と同形状の固定布体１０７を有している。覆い布体１０６と固定布体１０７とはベルト１０２を挟んで、縫着（縫着線１１１）により固定されている。覆い布体１０６及び固定布体１０７の前縁部分及び後縁部分は、帯状ベルトの前縁部及び後縁部分よりも前方及び後方に突出する突出部１０８（前突出部１０８ａ，後突出部１０８ｂ）とされている。
【００４１】
覆い布体１０６の表面である、パッド部１０４の表面には、クッション体１０５表面の凹凸面に沿った凸部１０５’が形成されている。
【００４２】
足健康装具１０１の使用方法は、前記実施形態１に係る足健康装具１の使用方法と同様であって、図１８及び図１９の使用状態を示す図に示されるように、ベルト１０２を足裏部から足甲部に巻き付け、足甲部においてベルト両端部を、面ファスナー１０３（１０３ａ，１０３ｂ）結合手段により環状に結合して使用する。
【００４３】
上記実施形態２の足健康装具１０１では、ベルト１０２の前縁から、バッド部１０４と連続する突出部１０８（１０８ａ）が突出し、歩行時、この突出部１０８（１０８ａ）を踏み込むことになるところから、装着状態において足健康装具の装着位置がズレるということがない。
【００４４】
また、この突出部の存在により、ベルトの幅を超えて、大きいサイズの足健康装具として提供することができる。
【００４５】
（実施形態３）
図２０及び図２１は、本発明の実施形態３に係る足健康装具を示す。                  実施形態３に係る足健康装具１０１’は、上記実施形態２に係る足健康装具１０１において、ベルト１０２と固定布体１０７との間に、上記クッション体１０５と略同形同質の下クッション体１１２を設けている。
【００４６】
実施形態３に係る足健康装具１０１’では、実施形態１又は２に係る足健康装具によるクッション力よりも、クッション力が増幅される。
【００４７】
（実施形態４）
図２２及び図２３は、本発明の実施形態５に係る足健康装具を示す。                  実施形態５に係る足健康装具は、上記実施形態１又は実施形態２に係る足健康装具１（１０１）において、ベルト２の側部に、側部パッド１１３を設けている。
【００４８】
側部パッド１１３は、ベルト２の側部に輪状に形成されている。側部パッド１１３の内側（足側）には、側部クッション体１１４が設けられている。
【００４９】
実施形態４に係る足健康装具では、ベルトの側部に側部パッド１１３を設けているところから、例えば、ゴム長靴を履いて歩行などする時など、足幅に合わせた調整が困難な、大きな靴を履く時に、足が靴内でぶれるということがなく、歩行が安定する。これにより、作業中の事故が防止される。
【００５０】
実施形態２乃至４において、上記実施形態１乃至３に対応する構成部分には、共通の用語及び参照符号を付して、その詳細な説明は省略した。
【符号の説明】
【００５１】
１，１０１，１０１’    足健康装具
２，１０２    ベルト
３（３ａ，３ｂ），１０３（１０３ａ，１０３ｂ）  面ファスナー
４，１０４    パッド部
５，１０５    クッション体
５' ，１０５'   凸部
５ａ  突出板部
６，１０６    覆い布体
１１，１１１    縫着線
１０７  固定布体
１０８（１０８ａ，１０８ｂ）  突出部
１１２  下クッション体
１１３  側部パッド
１１４  側部クッション体
【手続補正２】
【補正対象書類名】特許請求の範囲
【補正対象項目名】全文
【補正方法】変更
【補正の内容】
【特許請求の範囲】
【請求項１】
足裏部から足甲部に巻き付けられる一端から他端にかけて同一幅の伸縮自在な帯状のベルトと、足甲部においてベルトの両端部を着脱自在且つ長手方向に伸縮若しくは長短調整自在に結合する面ファスナー結合手段と、ベルトの中間部分の内側面に設けられるパッド部と、を具備し、
前記パッド部は、肉厚のクッション体と、クッション体の表面を覆い、クッション体をベルトに固定する覆い布体と、を有し、クッション体は、前縁側が足趾の基部に沿って、略湾曲状若しくは略直線状に横方向に連続する肉厚のクッション材により形成され、覆い布体は外周縁部がベルトに固定され、ベルトの前縁部と覆い布体の前縁部とは重ねられた状態で互いに上下に固定されていることを特徴とする足健康装具。
【請求項２】
前記覆い布体の表面には、前記クッション体表面の凹凸面に沿った凸部が形成され、覆い布体の表面は摩擦抵抗の大きい滑り止め面とされている請求項１に記載の足健康装具。